(57)【特許請求の範囲】
【請求項１】
車椅子本体(2) に固定されているキャスター取付筒(22)内に下端からキャスター車輪(42)を支持するフォーク(23)の基端部から立設されている軸棒(25)を挿入し、該軸棒(25)には一個または二個以上のゴムスリーブ(27,28) を外側嵌合し、該軸棒(25)上端には根端にカム形状を有するカムレバー(58)が枢着され、該カムレバー(58)を回動させて下端にゴムスリーブ(27,28) を押圧する圧縮ガイド(52A) を有するプレス座金(52)を介して該ゴムスリーブ(27,28) を押圧圧縮したことを特徴とするキャスター取付け構造。
【請求項２】
該キャスター取付筒(22)の上側または下側にはスペーサー(31)が配置されている請求項１に記載のキャスター取付け構造。
【請求項３】
該フォーク(23)にはキャスター車輪(42)取付け用軸孔(38A,38B,38C) が複数個設けられている請求項１または２に記載のキャスター取付け構造。
【発明の詳細な説明】
【０００１】
【産業上の利用分野】
本発明は例えば車椅子のキャスター取付け構造に関する。
【０００２】
【従来の技術】
従来のキャスター取付け構造は図１１および図１２に示すように車椅子(1) 本体(2) のパイプ状の前脚柱部(5) に六角座(92)から上方に延設されている軸棒(91)を内挿し、該軸棒(91)にはゴムスリーブ(27,28) およびワッシャ(26,29,30)を外側嵌合し、該軸棒(91)の上端螺溝部(91A) にはナット(93)を螺着して該ゴムスリーブ(27,28) を該ナット(93)と該六角座(92)のより挟圧して該前脚柱部(5) のパイプ内に固定し、該六角座(92)から下方に延設されている軸棒(94)の下端螺溝部(94A) にワッシャ(37a) を介してナット(37)によりフォーク(23)の基端部(23A) を支持させる構造である。
【０００３】
この構成では六角座(92)を回して軸棒(91)を回転させると、該ゴムスリーブ(27,28) の外周面はキャスター取付筒(22)の内周面との摩擦により回転せず、さらにナット(93)も該ゴムスリーブ(28)との摩擦により回転しないので、ナット(93)は該六角座(92)の回転につれて螺入していく。該ナット(93)が螺入していくと、該ゴムスリーブ(27,28) はナット(93)と六角座(92)とにより挟圧され径方向に膨張して前脚柱部(5) のパイプ内周面を圧接する。したがって軸棒(94)は前脚柱部(5) 内に固定される。
【０００４】
【発明が解決しようとする課題】
上記構成では締付けやゆるめは六角座(92)を回して行うため手で回して締付けたりゆるめたりすることが困難であり、工具がないと取付け取り外しができなかった。
【０００５】
【課題を解決するための手段】
本発明は上記従来の課題を解決するための手段として、車椅子本体(2) に固定されているキャスター取付筒(22)内に下端からキャスター車輪(42)を支持するフォーク(23)の基端部から立設されている軸棒(25)を挿入し、該軸棒(25)には一個または二個以上のゴムスリーブ(27,28) を外側嵌合し、該軸棒(25)上端には根端にカム形状を有するカムレバー(58)が枢着され、該カムレバー(58)を回動させて下端にゴムスリーブ(27,28) を押圧する圧縮ガイド(52A) を有するプレス座金(52)を介して該ゴムスリーブ(27,28) を押圧圧縮したキャスター取付け構造を提供するものである。
該キャスター取付筒(22)の上側または下側にはスペーサー(31)が配置されていることが望ましい。また該フォーク(23)にはキャスター車輪取付け用軸孔(38A,38B,38C) が複数個設けられていることが望ましい。
【０００６】
【作用】
本発明のキャスター取付け構造では、該軸棒(25)上端に根端にカム形状(58A) を有するカムレバー(58)が枢着されているから、該カムレバー(58)を締付方向に回動させると該カムレバー(58)の根端のカム形状(58A) によりプレス座金(52)が押圧され、該プレス座金(52)の下端圧縮ガイド(52A) がゴムスリーブ(28)を押圧して、該ゴムスリーブ(27,28) は径方向に膨張して該軸棒(25)と該取付筒(22)の内周壁とに圧接し、該フォーク(23)の軸棒(25)は該取付筒(22)内に固定される。
【０００７】
該取付筒(22)の上側または下側にスペーサー(31)が配置されていると、図９イ，ロに示すように該スペーサー(31)の厚みｈ分キャスターの取付け位置を上または下にすることが出来る。そして相対的に車椅子の座部の位置は高くなる。
したがって車椅子の高さ調節が出来る。
【０００８】
該フォーク(23)にキャスター車輪取付け用軸孔(38A,38B,38C) が複数個設けられていると、キャスター車輪(42)は該複数個のキャスター車輪取付け軸孔(38A,38B,38C) のうちより一つの軸孔(38)を選択して取付けられる。
したがって車輪(42)の取付け位置を調節できる。
また上記スペーサー(31)と組み合わせると、よりきめ細かくおよび／またはより広い範囲で高さ調節ができる。
【０００９】
【発明の実施の形態】
本発明を図１〜図９に示す一実施例によって説明すれば、車椅子(1) の本体(2) は左右一対の側枠(3,3) からなり該側枠(3,3) は座梁部(4) 、前後脚柱部(5,6) 、アームレスト部(7) 、背柱部(8) 、フットレスト支持梁(9) 、および下梁(10)からなり、該側枠(3,3) は前後一対のＸ枠(11,12) によって結合されている。
該側枠(3) の後脚柱部(6) には図３に示す角筒状の車輪取付部(13)が溶接されている。該車輪取付部(13)には軸孔(14A,14B,14C,14D) が複数個（４個）縦方向に設けられている。該車輪取付部(13)に主車輪(15)を取り付けるには、該車輪取付部(13)の軸孔(14A,14,B, 14C,14D)のうち一つを選び、主車輪(15)のハブ(16)から差し出されている中心軸筒(16A) をハンドブレーキシューハウジング部(20A,20B) を介して該軸孔(14)に挿通し、該中心軸筒(16A) に車軸(17)を挿通する。該車軸(17)の根端にはカムレバー(18)が枢着されており、該カムレバー(18)の根端にはカム形状(18A) が形成されており、更に該車軸(17)のカムレバー側にはプレス座金(19)が嵌合されている。該プレス座金(19)のカムレバー側の面には該カムレバー (18)のカム形状(18A) に沿う凹曲面(19A) が形成されている。
【００１０】
前記したように車輪取付部(13)の軸孔(14A, 14B,14C,14D) とハンドブレーキシューハウジング部(20A,20B) に中心軸筒(16A) を挿通し、該中心軸筒(16A) に車軸(17)を挿通し、該車軸(17)の先端部螺溝部(17A) にナット(21)を螺着する。この時ナット(21)は強く締め付ける必要はない。
【００１１】
この状態で該車軸(17)のカムレバー(18)を図４に示すように締付け方向に回動させると、該カムレバー(18)のカム形状(18A) によりプレス座金(19)を介して車輪取付部(13)の側面を押圧し、その反力 (図４矢印イ）によって該車軸(16)に螺着されているナット(21)が主車輪(15)の軸部分を締付け、ハブ(16)がカムレバー(18)方向に引っ張られて主車輪(15)は固定される。
なおプレス座金(19)は必ずしも必要ではないが、プレス座金(19)を介在させるとより確実に車輪取付部(13)を押圧できる。
【００１２】
このように、該主車輪(15)は該車輪取付部(13)の軸孔(14A,14B,14C,14D) の一つを選ぶことによって取付け位置を上下方向で調節可能にして取り付けられ、低位の軸孔(14)を選択すれば、車椅子(1) の高さは高くなり、高位の軸孔(14)を選択すれば車椅子(1) の高さは低くなる。
【００１３】
したがって車椅子の高さを変更したい場合には、車軸(17)のカムレバー(18)を図５に示すようにゆるめ側に回動させれば、ナット(21)の締付がゆるみ、ナット(21)は容易に回転させて車軸(17)から外すことが出来る。
【００１４】
該側枠(3) の前脚柱部(5) には図６に示すキャスター取付筒体(22)が溶接されている。該筒体(22)内には下端からキャスターのフォーク(23)の基端部(23A) から六角座(24)を介して立設されている軸棒(25)が挿入され、該軸棒(25)の上端は扁平にされ軸孔(55A) が設けられている。該軸棒(25)にはワッシャ(26)、上下一対のゴムスリーブ(27,28) が外側嵌合され、該一対のゴムスリーブ(27,28) 間には二枚のワッシャ(29,30) が嵌合介在され、該取付筒(22)内に下端から挿入される。そして図９イに示すように、該軸棒(25)の上端にはスペーサー(31)を介して圧縮ガイド(52A) を下端に有するプレス座金(52)を嵌合し、該軸孔(55A) には軸(59)により根端にカム形状(58A) を有するカムレバー(58)が枢着される。
【００１５】
上記構成において、カムレバー(55)を図９イに示すように締付方向に回動させると、該カムレバー(58)の根端カム形状(58A) によりプレス座金(52)が押圧され、さらに該プレス座金(52)の下端に形成されている圧縮ガイド(52A) がゴムスリーブ(27,28) を圧縮する。したがって該ゴムスリーブ(27,28) は径方向に膨張して取付筒(22)の内周壁および軸棒(55)に圧接して該軸棒(55)は取付筒(22)内に固定される。
【００１６】
カムレバー(58)を図９イに示すゆるめ方向に回動させるとカム形状(58A) の押圧力がゆるめられ、ゴムスリーブの圧縮もゆるめられ、軸棒(55)の固定は解放される。
したがって本実施例ではカムレバー(58)を回動させることによりワンタッチでキャスターの締付解放が出来る。
なお、圧縮ガイドは必ずしもプレス座金(52)の下端に一体的に設けられる必要はなく、図１０に示すように別対の圧縮ガイド(52B) であってもよい。
またワッシャは必ずしも必要ではないが、嵌合するワッシャの枚数を調節することにより、ゴムスリーブへの押圧力を調節できる。
【００１７】
該軸棒(25)の６角座(24)の下面からは図７に示すように下側軸棒(33)が延設されており、該下側軸棒(33)はフォーク(23)の基端部(23A) に内接されている上側ベアリング(34)、中間リング(36)、下側ベアリング(35)を貫通し、下端螺溝部(33A) にはナット(37)が螺着締付され、このようにして該フォーク(23)は該下側軸棒(33)に左右回動可能に取り付けられている。
【００１８】
該フォーク(23)には図８に示すようにキャスター車輪取付け用の軸孔(38A,38B,38C) の複数個（３個）が縦方向に設けられており、該軸孔(38A,38B,38C) の一つを選び、主車輪(15)と同様なカムレバー(40)付き車軸(39)およびプレス座金(43)と、該車軸(39)の先端螺溝部(39A) に螺着されるナット(41)によってキャスター車輪(42)を上下取付け位置調節可能に取り付ける。
【００１９】
更に図９ロに示すようにスペーサー(31)を取付筒(22)の下端に位置させると、該スペーサー(31)の厚みｈ分フォーク(23)を下に降ろすことが出来る。このようなキャスター(42)の上下位置調節は主車輪(15)の位置調節と対応して行う。
【００２０】
上記左右一対の側枠(3,3) の座梁部(4) 間には座布(43)が差し渡され、また背柱部(8) 間には背布(44)が差し渡され、該背柱部(8) の上端屈曲部には把手(45)が取り付けられ、該フットレスト支持梁部(9,9) の下端にはフットレスト(46)が跳ね上げ可能に取り付けられている。
【００２１】
本実施例において、車輪取付部の軸孔は複数個前後方向に配列されてもよい。この場合には車軸は前後位置調節可能になる。
【００２２】
【発明の効果】
本発明ではカムレバーがキャスター取付筒の上端にあるから、該カムレバーを手で回して締め付けることが容易に出来る。
【図面の簡単な説明】
図１〜図９は本発明の実施例を示すものである。
【図１】  車椅子側面図
【図２】  車椅子正面図
【図３】  車輪取付け構造説明分解斜視図
【図４】  車輪取付け構造締付状態断面図
【図５】  車輪取付け構造ゆるめ状態断面図
【図６】  キャスター取付け部分説明分解斜視図
【図７】  フォーク基端部部分断面図
【図８】  キャスター車輪取付け状態正面図
【図９】  キャスター取付筒の高さ調節機構説明断面図
イ  スペーサー上端位置
ロ  スペーサー下端位置
【図１０】  他の実施例のプレス座金および圧縮ガイド
【図１１】  従来例のキャスター取付け構造分解斜視図
【図１２】  従来例のキャスター取付け構造説明断面図
【符号の説明】
1                 車椅子
2                 本体
22                キャスター取付筒
23                フォーク
23A               基端部
25               軸棒
25A               螺溝部
27,28             ゴムスリーブ
31                スペーサー
38A,38B,38C       キャスター車輪取付け用軸孔
52                プレス座金
52A               圧縮ガイド
58                カムレバー
58A               カム形状
【図１】
0003986799.tif 000002
【図２】
0003986799.tif 000003
【図３】
0003986799.tif 000004
【図４】
0003986799.tif 000005
【図５】
0003986799.tif 000006
【図７】
0003986799.tif 000007
【図８】
0003986799.tif 000008
【図６】
0003986799.tif 000009
【図９】
0003986799.tif 000010
【図１０】
0003986799.tif 000011
【図１１】
0003986799.tif 000012
【図１２】
0003986799.tif 000013